(57)【特許請求の範囲】
【請求項１】
情報記録媒体の残容量を視覚的に示す残容量情報を前記情報記録媒体へ記録するための第１記録信号を生成する記録部と、
前記第１記録信号に基づいて前記残容量情報を前記情報記録媒体へユーザが直接視認可能に記録するヘッド部と
を備え、
前記情報記録媒体の残容量が所定の容量よりも少なくなった場合に、前記ヘッド部は、前記視認可能に記録された残容量情報を前記情報記録媒体から削除する、記録装置。
【請求項２】
前記情報記録媒体には１つ以上のデータと前記残容量情報とが記録済みであり、
前記情報記録媒体に新たなデータを追加して記録した場合には、前記記録部は、前記新たなデータの記録により変化した残容量を示す更新情報を前記情報記録媒体へ記録するための第２記録信号を生成し、
前記ヘッド部は、前記第２記録信号に基づいて前記更新情報を前記情報記録媒体へ記録し、前記情報記録媒体に記録された前記残容量情報を更新する、請求項１に記載の記録装置。
【請求項３】
前記残容量情報は、図形および文字の少なくとも一方によって表されている、請求項１に記載の記録装置。
【請求項４】
前記残容量情報は、図形および文字の少なくとも一方によって表されており、
前記更新情報は、前記残容量情報を表す前記図形および前記文字の少なくとも一方に追加される追加図形および追加文字の少なくとも一方によって表されている、請求項２に記載の記録装置。
【請求項５】
前記残容量情報は、円形状によって表されており、
前記更新情報は、前記円形状に対する前記情報記録媒体の内周側および外周側の一方へ追加される前記円形状の同心円によって表されている、請求項２に記載の記録装置。
【請求項６】
前記情報記録媒体には、前記情報記録媒体の円周方向の位置の基準となるマークが設けられており、
前記ヘッド部は、前記マークの位置に基づいて、前記残容量情報と前記更新情報との位置が合うように、前記更新情報を前記情報記録媒体へ記録する、請求項２に記載の記録装置。
【請求項７】
前記ヘッド部は、前記情報記録媒体に記録されている所定のアドレス情報の記録位置に基づいて、前記残容量情報と前記更新情報との位置が合うように、前記更新情報を前記情報記録媒体へ記録する、請求項２に記載の記録装置。
【請求項８】
前記記録部は、前記残容量情報が記録された前記情報記録媒体上の位置を示す位置情報を前記情報記録媒体へ記録するための第３記録信号を生成し、
前記ヘッド部は、前記第３記録信号に基づいて前記位置情報を前記情報記録媒体へ記録する、請求項２に記載の記録装置。
【請求項９】
前記ヘッド部は、前記位置情報に基づいて、前記残容量情報と前記更新情報との位置が合うように、前記更新情報を前記情報記録媒体へ記録する、請求項８に記載の記録装置。
【請求項１０】
前記記録部は、記録された前記残容量情報を消去する場合には、前記残容量情報を消去するための消去用信号を生成し、
前記ヘッド部は、前記消去用信号に基づいて前記残容量情報を消去する、請求項１に記載の記録装置。
【請求項１１】
前記データは、映像データ、音声データ、テキストデータ、プログラムデータのうちの少なくとも１つを含む、請求項１に記載の記録装置。
【請求項１２】
前記視認可能に記録された残容量情報は、残容量に応じた視覚的な濃淡によって残容量を表す、請求項１に記載の記録装置。
【請求項１３】
情報記録媒体の残容量を視覚的に示す残容量情報を前記情報記録媒体へ記録するための記録信号を生成するステップと、
前記記録信号に基づいて前記残容量情報を前記情報記録媒体へユーザが直接視認可能に記録するステップと、
前記情報記録媒体の残容量が所定の容量よりも少なくなった場合に、前記視認可能に記録された残容量情報を前記情報記録媒体から削除するステップと
を包含する、記録方法。
【発明の詳細な説明】
【技術分野】
【０００１】
本発明は、情報記録媒体へデータの光学的な記録を行うと共に、ユーザが直接視覚可能な視覚情報を情報記録媒体へ記録する記録装置および記録方法に関する。
【背景技術】
【０００２】
近年、映像データや音声データを圧縮して光ディスク媒体に記録する記録装置が急速に普及している。そのような記録装置として、例えばＤＶＤ（Ｄｉｇｉｔａｌ  Ｖｅｒｓａｔｉｌｅ  Ｄｉｓｃ）レコーダが挙げられる。ＤＶＤレコーダでは、予約録画機能を使って、放送される番組をＤＶＤディスクに録画し、必要な時に再生して視聴することができる。ＤＶＤディスクの記録容量（コンテンツデータを記録できる容量）は４．７ＧＢであり、ＤＶＤレコーダの長時間録画モードでは４〜８時間もの録画が可能である。よって、通常は、複数の放送番組の光ディスク媒体への追記により録画していく。追記とは、コンテンツデータを録画済の光ディスク媒体に別のコンテンツデータを追加して録画することである。
【０００３】
このように、追記により放送番組を次々と録画する使用形態において、ジャンル毎に光ディスク媒体を変えて録画する場合などでは、空き容量が残っている光ディスク媒体が多数存在することになる。このような光ディスク媒体に残された記録可能な空き容量（残容量）を知るためには、その都度光ディスク媒体をＤＶＤレコーダに装着して記録済みデータ情報を読み取り、残容量をテレビ画面上に表示させる必要があり、非常に手間がかかる。
【０００４】
そこで、容易に光ディスク媒体の残容量を知る技術として、ＤＶＤディスクへの録画終了時に残容量を算出し、機器内蔵の記憶部に記憶しておくことで光ディスク媒体を装着しなくとも残容量を表示できる技術がある（例えば、特許文献１参照）。
【特許文献１】特開２００３−１５１２４４号公報
【発明の開示】
【発明が解決しようとする課題】
【０００５】
しかしながら、上記の技術ではＤＶＤレコーダの電源を投入して所定の操作をしなければ残容量を知ることはできないし、複数の光ディスク媒体の残量を知るためにはＴＶ画面に表示される光ディスク媒体ＩＤと対応した目印（例えば通し番号など）を光ディスク媒体上に書き込んでおく必要があり、手間がかかる。また、録画したＤＶＤレコーダ以外の機器では光ディスク媒体を装着しなければ残容量を知ることはできない。
【０００６】
本発明は、上記課題に鑑みてなされたものであり、その目的は、ユーザが光ディスク媒体表面を直接視認するだけで手間無く光ディスク媒体の残容量を知ることができる記録装置および記録方法を提供することにある。また、本発明のさらなる目的は、ユーザが光ディスク媒体表面を直接視認するだけで記録されたデータの内容を知ることができる視覚情報を光ディスク媒体へ記録するときに、視覚情報の記録位置の位置合わせを容易にする記録装置および記録方法を提供することにある。
【課題を解決するための手段】
【０００７】
本発明の記録装置は、情報記録媒体へ記録するデータの内容を視覚的に示す視覚情報を前記情報記録媒体へ記録するための第１記録信号を生成する記録部と、前記情報記録媒体に記録されている所定のアドレス情報を、前記視覚情報を記録する位置の位置合わせの基準にして、前記第１記録信号に基づいて前記視覚情報を前記情報記録媒体へユーザが直接視認可能に記録するヘッド部とを備えることを特徴とする。
【０００８】
ある実施形態によれば、前記記録部は、前記視覚情報が記録された前記情報記録媒体上の位置を示す位置情報を前記情報記録媒体へ記録するための第２記録信号を生成し、前記ヘッド部は、前記第２記録信号に基づいて前記位置情報を前記情報記録媒体へ記録する。
【０００９】
ある実施形態によれば、前記データは、映像データ、音声データ、テキストデータ、プログラムデータのうちの少なくとも１つを含む。
【００１０】
ある実施形態によれば、前記視覚情報は、前記データのタイトル、ファイル名、記録した日のうちの少なくとも１つを示す。
【００１１】
本発明の記録方法は、情報記録媒体へ記録するデータの内容を視覚的に示す視覚情報を前記情報記録媒体へ記録するための記録信号を生成するステップと、前記情報記録媒体に記録されている所定のアドレス情報を、前記視覚情報を記録する位置の位置合わせの基準にして、前記記録信号に基づいて前記視覚情報を前記情報記録媒体へユーザが直接視認可能に記録するステップとを包含することを特徴とする。
【００１２】
本発明の記録装置は、情報記録媒体へ記録するデータの内容を視覚的に示す視覚情報を前記情報記録媒体へ記録するための第１記録信号を生成する記録部と、前記第１記録信号に基づいて前記視覚情報を前記情報記録媒体へユーザが直接視認可能に記録するヘッド部とを備え、前記記録部は、前記視覚情報が記録された前記情報記録媒体上の位置を示す位置情報を前記情報記録媒体へ記録するための第２記録信号を生成し、前記ヘッド部は、前記第２記録信号に基づいて前記位置情報を前記情報記録媒体へ記録することを特徴とする。
【００１３】
ある実施形態によれば、前記ヘッド部は、追加の視覚情報を記録する場合、前記位置情報に基づいて、記録済みの前記視覚情報と前記追加の視覚情報との位置合わせを行う。
【００１４】
ある実施形態によれば、前記ヘッド部は、前記情報記録媒体に記録されている所定のアドレス情報の記録位置を、前記視覚情報を記録する位置の位置合わせの基準にして、前記視覚情報を記録する。
【００１５】
ある実施形態によれば、前記データは、映像データ、音声データ、テキストデータ、プログラムデータのうちの少なくとも１つを含む。
【００１６】
ある実施形態によれば、前記視覚情報は、前記データのファイル名、タイトル、記録した日のうちの少なくとも１つを示す。
【００１７】
本発明の記録方法は、情報記録媒体へ記録するデータの内容を視覚的に示す視覚情報を前記情報記録媒体へ記録するための第１記録信号を生成するステップと、前記第１記録信号に基づいて前記視覚情報を前記情報記録媒体へユーザが直接視認可能に記録するステップと、前記視覚情報が記録された前記情報記録媒体上の位置を示す位置情報を前記情報記録媒体へ記録するための第２記録信号を生成するステップと、前記第２記録信号に基づいて前記位置情報を前記情報記録媒体へ記録するステップとを包含することを特徴とする。
【００１８】
本発明の記録装置は、前記情報記録媒体の残容量を視覚的に示す残容量情報を前記情報記録媒体へ記録するための第１記録信号を生成する記録部と、前記第１記録信号に基づいて前記残容量情報を前記情報記録媒体へユーザが直接視認可能に記録するヘッド部とを備えることを特徴とする。
【００１９】
ある実施形態によれば、前記情報記録媒体には１つ以上のデータと前記残容量情報とが記録済みであり、前記情報記録媒体に新たなデータを追加して記録した場合には、前記記録部は、前記新たなデータの記録により変化した残容量を示す更新情報を前記情報記録媒体へ記録するための第２記録信号を生成し、前記ヘッド部は、前記第２記録信号に基づいて前記更新情報を前記情報記録媒体へ記録し、前記情報記録媒体に記録された前記残容量情報を更新する。
【００２０】
ある実施形態によれば、前記残容量情報は、図形および文字の少なくとも一方によって表されている。
【００２１】
ある実施形態によれば、前記残容量情報は、図形および文字の少なくとも一方によって表されており、前記更新情報は、前記残容量情報を表す前記図形および前記文字の少なくとも一方に追加される追加図形および追加文字の少なくとも一方によって表されている。
【００２２】
ある実施形態によれば、前記残容量情報は、円形状によって表されており、前記更新情報は、前記円形状に対する前記情報記録媒体の内周側および外周側の一方へ追加される前記円形状の同心円によって表されている。
【００２３】
ある実施形態によれば、前記情報記録媒体には、前記情報記録媒体の円周方向の位置の基準となるマークが設けられており、前記ヘッド部は、前記マークの位置に基づいて、前記残容量情報と前記更新情報との位置が合うように、前記更新情報を前記情報記録媒体へ記録する。
【００２４】
ある実施形態によれば、前記ヘッド部は、前記情報記録媒体に記録されている所定のアドレス情報の記録位置に基づいて、前記残容量情報と前記更新情報との位置が合うように、前記更新情報を前記情報記録媒体へ記録する。
【００２５】
ある実施形態によれば、前記記録部は、前記残容量情報が記録された前記情報記録媒体上の位置を示す位置情報を前記情報記録媒体へ記録するための第３記録信号を生成し、前記ヘッド部は、前記第３記録信号に基づいて前記位置情報を前記情報記録媒体へ記録する。
【００２６】
ある実施形態によれば、前記ヘッド部は、前記位置情報に基づいて、前記残容量情報と前記更新情報との位置が合うように、前記更新情報を前記情報記録媒体へ記録する。
【００２７】
ある実施形態によれば、前記記録部は、記録された前記残容量情報を消去する場合には、前記残容量情報を消去するための消去用信号を生成し、前記ヘッド部は、前記消去用信号に基づいて前記残容量情報を消去する。
【００２８】
ある実施形態によれば、前記データは、映像データ、音声データ、テキストデータ、プログラムデータのうちの少なくとも１つを含む。
【００２９】
本発明の記録方法は、前記情報記録媒体の残容量を視覚的に示す残容量情報を前記情報記録媒体へ記録するための記録信号を生成するステップと、前記記録信号に基づいて前記残容量情報を前記情報記録媒体へユーザが直接視認可能に記録するステップとを包含することを特徴とする。
【発明の効果】
【００３０】
本発明によれば、情報記録媒体に記録されている所定のアドレス情報を、視覚情報を記録する位置の位置合わせの基準にして、視覚情報を記録する。これにより、位置合わせのための特別なマーク等を情報記録媒体に記していなくても、視覚情報の記録位置の位置合わせを行うことができる。
【００３１】
また、本発明によれば、視覚情報が記録された情報記録媒体上の位置を示す位置情報を情報記録媒体へ記録する。これにより、追加の視覚情報を記録するときに、記録済み視覚情報と追加の視覚情報との位置合わせを、位置情報に基づいて容易に行うことができる。
【００３２】
また、本発明によれば、情報記録媒体の残容量を視覚的に示す残容量情報を情報記録媒体へユーザが直接視認可能に記録する。情報記録媒体の残容量が光ディスク媒体表面に視覚的に容易にわかるように書き込まれているため、ユーザは、情報記録媒体表面を見るだけでその情報記録媒体の残容量を瞬時に知ることができる。
【発明を実施するための最良の形態】
【００３３】
以下、図面を参照して、本発明による記録装置および記録方法の実施形態を説明する。同様の構成要素には同様の参照符号を付し、同様の説明の繰り返しは省略する。
【００３４】
（実施形態１）
図１Ａ〜図４Ｂを参照して、本発明による記録装置および記録方法の第１の実施形態を説明する。
【００３５】
まず、図１Ａを参照する。図１Ａは、本実施形態の記録装置１００を示す図である。
【００３６】
記録装置１００は、コンテンツデータを光ディスク媒体１５へ記録するための記録信号１ａを生成する第１記録部１と、記録信号１ａに応じてコンテンツデータを光ディスク媒体１５へ記録するヘッド部３と、光ディスク媒体１５の残容量を視覚的に示す残容量情報を光ディスク媒体１５へ記録するための記録信号２ａを生成する第２記録部２とを備える。コンテンツデータは、例えば、映像データ、音声データおよびそれらを組み合わせたデータである。また、記録装置１００によってテキストデータ、プログラムデータ等が光ディスク媒体１５へ記録されてもよい。ヘッド部３は、記録信号２ａに応じて残容量情報を光ディスク媒体１５へユーザが直接視認可能に記録する。
【００３７】
本発明の実施形態の説明では、第１記録部１と第２記録部２とを別々の構成要素として示しているが、第１記録部１と第２記録部２とが一体に形成されていてもよい。本発明では、第１記録部１と第２記録部２とをまとめて記録部と称することもある。
【００３８】
記録装置１００は、再生部１６と、再生ＡＶ処理部４と、基準位置検出部１７と、制御部１８と、操作部１０と、フォーカスサーボ機構５と、トラッキングサーボ機構６と、描画ヘッドサーボ機構７と、スピンドルサーボ機構８と、モータ９とを備える。
【００３９】
第１記録部１は、記録ＡＶ処理部１２と記録信号生成部１３とを備える。第２記録部２は、ビットマップ画像生成部１９と描画部２０とを備える。ヘッド部３は、光ヘッド部１４と描画ヘッド部２１とを備える。
【００４０】
次に、記録装置１００の動作を説明する。記録装置１００には、光ディスク媒体１５が搭載されている。操作部１０へ入力されるユーザからの命令に応じて、録画対象の放送コンテンツデータ（映像データと音声データを含む）が記録ＡＶ処理部１２に外部から入力され、映像データと音声データとがそれぞれデータ圧縮され多重化されてＡＶストリーム１２１が生成される。ＡＶストリーム１２１は記録信号生成部１３に入力され、誤り訂正符号の付加や記録変調などが行われ、コンテンツデータを光ディスク媒体１５へ記録するための記録信号１ａを生成する。記録再生用の光ヘッド部１４は、記録信号１ａを受け取って、コンテンツデータを光ディスク媒体１５に記録する。コンテンツデータを記録再生するとき、光ディスク媒体１５は、スピンドルサーボ機構８によって制御されたモータによって回転する。光ヘッド部１４の位置は、フォーカスサーボ機構５とトラッキングサーボ機構６によって制御される。制御部１８は、記録装置１００の構成要素全体の動作を制御する。
【００４１】
放送コンテンツデータの記録終了後、光ディスク媒体１５より記録データを再生する。光ヘッド部１４を介して再生される再生信号は再生部１６に入力され、復調や誤り訂正が行われ、再生データ信号１６１が生成される。再生データ信号１６１は、再生ＡＶ処理部および基準位置検出部１７に入力される。再生ＡＶ処理部４は、再生データ信号１６１をディスプレイ装置等の外部機器での表示に適した信号に変換して、外部機器へ出力する。基準位置検出部１７の動作は後述する。
【００４２】
制御部１８は、再生データ信号１６１から光ディスク媒体１５の残容量や、コンテンツデータのタイトルを検出する。ビットマップ画像生成部１９は、検出された残容量を視覚的に示す残容量情報と、記録したコンテンツデータのタイトルを示す視覚情報とを生成する。描画部２０は、残容量情報および視覚情報を光ディスク媒体１５へ記録するための記録信号２ａに変換する。描画ヘッド部２１は、記録信号２ａを受け取って、光ディスク媒体１５のレーベル面（非データ記録面）に残容量情報および視覚情報を記録する。残容量情報および視覚情報は、ユーザが直接視認可能なように記録される。描画ヘッド部２１の位置は、描画ヘッドサーボ機構７によって制御される。
【００４３】
図１Ｂおよび図１Ｃは、光ディスク媒体１５のレーベル面に書き込まれた残容量情報３１および３２を示す図である。残容量情報３１および３２は、図形および文字の少なくとも一方によって表され、この例では、光ディスク媒体１５の中心を基準とした同心円によって表されている。
【００４４】
コンテンツデータの記録を繰り返して残容量が減っていくにつれて、光ディスク媒体１５の内周から外周に向けて書き込まれる同心円状のリング数が増えていくことにより残容量が表される。
【００４５】
残容量とリングの数との関係の一例を図２に示す。コンテンツデータの記録が全く為されていない未記録光ディスク媒体には何も書き込まれておらず、コンテンツデータの記録により残容量が減少するにつれてリングが１本から５本へと残容量に応じて増えていく。５本のリングが書かれた光ディスク媒体は残容量が１ＧＢ以下である。
【００４６】
図３は、残容量情報の書き込み処理手順を示すフローチャートである。まず、未記録の光ディスク媒体１５を記録装置１００（図１）に挿入する（ステップＳ１００）。記録装置１００は、最初のコンテンツデータの記録を実行する（ステップＳ１０１）。録画完了後、制御部１８は光ディスク媒体１５の残容量を検出する（ステップＳ１０２）。検出した残容量Ｘが例えば３．５ＧＢの場合には、第２記録部２およびヘッド部３は、２本のリングを書き込むための記録信号２ａの生成および書き込みを実行する（ステップＳ１０３）。また、必要に応じて、第２記録部２およびヘッド部３は、残容量目盛りを書き込むための記録信号２ａの生成および書き込みを実行する（ステップＳ１０４）。これらの動作により、図１Ａに示すように、リング形状で残容量が光ディスク媒体表面で視覚的に示される。これにより、ユーザは、２本のリングが書き込まれていることを目視するだけで残容量が３〜４ＧＢあることが瞬時に分かる。ここでレーベル面には例えば「ＬｉｇｈｔＳｃｒｉｂｅ」技術を用いて残容量情報を書き込む。「ＬｉｇｈｔＳｃｒｉｂｅ」技術の詳細は（ｈｔｔｐ：／／ｗｗｗ．ｌｉｇｈｔｓｃｒｉｂｅ．ｃｏｍ／）を参照のこと。例えば、レーベル面に感熱層を設け、その感熱層にレーザ光を照射することにより描画を行うことができる。
【００４７】
次に、１つ以上のコンテンツデータが記録された光ディスク媒体１５に別のコンテンツデータを追記する動作を説明する。光ディスク媒体１５を記録装置１００に挿入する。光ディスク媒体１５が記録済み光ディスク媒体である場合には、制御部１８は、光ディスク媒体１５の残容量を検出する（ステップＳ１００およびＳ１０５）。制御部１８は、検出した残容量Ｙが例えば３．５ＧＢの場合には２本のリングが既に書き込まれていると判断する。続いて、記録装置１００は、別のコンテンツデータの追記を実行する（ステップＳ１０６）。記録完了後、制御部１８は、光ディスク媒体１５の残容量を検出する（ステップＳ１０７）。例えば検出した残容量Ｚが０．５ＧＢだったとする。２本のリングは既に書かれているので、第２記録部２およびヘッド部３は、３本目から５本目までの３本のリングを書き込むための記録信号２ｂの生成および書き込みを実行する（ステップＳ１０８）。これにより、記録済みの２本のリングの外周側へ、３本目から５本目までの３本のリングが同心円状に追加される。新たなコンテンツデータの記録により変化した残容量を示すための更新情報として３本目から５本目までの３本のリングを書き込むことにより、ディスク媒体表面に示される残容量情報が更新される。これらの動作により、図１Ｂに示すように、更新された残容量情報３２がリング形状で、光ディスク媒体表面で視覚的に示される。ユーザは、５本のリングが書き込まれていることを目視するだけで残容量が０〜１ＧＢあることが瞬時に分かる。
【００４８】
また、残容量情報を同心円状のリング形状で表すことにより、残容量情報を記録するときの円周方向に沿った位置決めが不要なので、文字情報を記録するときと比較して、記録制御を単純にすることができる。
【００４９】
なお、追記により光ディスク媒体の残容量が殆ど無くなった場合など、さらなる追記を行わない光ディスク媒体に対してはユーザの指示を受けてあるいは自動的に残容量情報を削除してもよい。残容量を示すリングおよび目盛りを消去可能な場合はそれらを消去すればよい。例えば、特開平１１−１５１８５６号公報に記載されている可逆性感熱記録材料をレーベル面に設けている場合は、描画ヘッド部２１が、残容量情報の記録位置へ、消去のためのレーザ光を照射することにより、残容量情報を消去することができる。特開平１１−１５１８５６号公報に記載されている可逆性感熱記録材料は、ロイコ染料と可逆顕色剤を含んでいる。例えば、ロイコ染料は、３−ジ−ｎ−ブチルアミノ−６−メチル−７−アニリノフルオランであり、可逆顕色剤は、Ｎ−［３−（ｐ−ヒドロキシフェニル）プロピオノ］−Ｎ’−ｎ−オクタデカノヒドラジドであるが、これらに限定されない。レーベル面に形成された可逆性感熱記録層にレーザ光を集光し発熱させることで、可逆性感熱記録層に対する残容量情報の記録（描画）あるいは残容量情報の消去を行うことができる。可逆性感熱記録層への発色記録画像を形成するためには、記録位置を過熱した後に急速に冷却すればよく、これはレーザ光の短時間照射により実現できる。第２記録部２およびヘッド部３は、そのような短時間照射のためのレーザ光パルスを出射するための記録信号２ａおよび２ｂの生成およびレーザ光パルスの出射を実行する。また、残容量情報の消去は、可逆性感熱記録層に比較的長時間に渡ってレーザ光を照射することにより実現される。比較的長時間に渡ってレーザ光を照射することにより、可逆性感熱記録層の周辺部分まで加熱されるため冷却速度が遅くなり、残容量情報の記録部分を元の記録前の状態に戻すことができる。これにより、残容量情報を消去することができる。第２記録部２およびヘッド部３は、残容量情報を消去する場合には、上記のような長時間照射のためのレーザ光パルスを出射するための消去信号２ｃの生成およびレーザ光パルスの出射を実行する。
【００５０】
また、残容量情報の消去の際に、記録済みコンテンツデータに関する情報、例えばタイトルをデータ記録面より読み取り、光ディスク媒体のレーベル面に印字すれば、記録されたコンテンツが一目で分かり便利である。レーベル面に記録する視覚情報は、タイトル、ファイル名、記録した日、およびそれらの情報の組み合わせなどである。図４Ａは、残容量情報が消去されたレーベル面に記録された視覚情報３６を示している。
【００５１】
また、残容量情報を消去できない光ディスク媒体を用いる場合は、図４Ｂに示すように、残容量情報を塗りつぶすように図形を上書きすることで残容量情報を実質的に削除することができる。
【００５２】
上述の説明では、内周から外周へリングを増やすことで残容量を視覚的に示す例を説明したが、外周から内周へリングを増やすことで残容量を視覚的に示してもよい。また、リングの消去が可能な場合、最初の記録時に残容量に比例した本数のリングを書き込んでおき、追記により残容量が減少する毎にリングを消去することでリング数を減らしてもよい。
【００５３】
またここでは残容量情報である同心円状のリングをレーベル面に書き込む例を説明したが、レーベル面ではなくデータ記録面に予め設けておいたデータ未記録領域に同心円状のリングやタイトルを書き込んでもよい。データ記録面に図形を書き込む技術は、例えば「ＤｉｓｃＴ＠２」技術がある。「ＤｉｓｃＴ＠２」技術の詳細は（ｈｔｔｐ：／／ｗｗｗ．ｙａｍａｈａ．ｃｏ．ｊｐ／）を参照のこと。
【００５４】
（実施形態２）
図５Ａおよび図５Ｂは、本実施形態における光ディスク媒体１５のレーベル面に書き込まれた残容量情報４１および４２を示す図である。残容量情報４１および４２の記録は記録装置１００（図１Ａ）によって行われる。
【００５５】
本実施形態では、コンテンツデータの追記を繰り返して残容量が減っていくにつれて、光ディスク媒体表面に描かれたリングの濃淡が変化する。残容量とリングの濃度との関係の一例を図６に示す。コンテンツデータの記録が全く為されていない未記録光ディスク媒体には何も書き込まれておらず、コンテンツデータの記録により残容量が減少するにつれてリングの濃度が２０％から１００％へと残容量に応じて増えていく。リングの濃度が１００％の光ディスク媒体は残容量が１ＧＢ以下である。リングの濃淡は、照射するレーザ光のパワー、照射時間により制御することができる。また、描画するドット数で濃淡を表現することができる。
【００５６】
図７は、残容量情報４１および４２の書き込み処理手順を示すフローチャートである。まず、光ディスク媒体１５を記録装置１００に挿入し、コンテンツデータの記録を実行する（ステップＳ１０９）。録画完了後、制御部１８は、光ディスク媒体１５の残容量を検出する（ステップＳ１１０）。検出した残容量Ｘが例えば３．５ＧＢの場合には、第２記録部２およびヘッド部３は、４０％濃度のリングの書き込み処理（ステップＳ１１１）を実行し、図５Ａに示すような形状で残容量が光ディスク媒体表面に視覚的に示される。これにより、４０％濃度のリングが書き込まれていることを目視するだけで残容量が３〜４ＧＢあることが瞬時に分かる。
【００５７】
また、別の例として、検出した残容量Ｘが０．５ＧＢの場合には、第２記録部２およびヘッド部３は、１００％濃度のリングの書き込み処理（ステップＳ１１１）を実行し、図５Ｂに示すような形状で残容量が光ディスク媒体表面に視覚的に示される。これにより、１００％濃度のリングが書き込まれていることを目視するだけで残容量が０〜１ＧＢあることが瞬時に分かる。
【００５８】
このように、リングの濃淡により残容量を表すことで、省スペースで残容量を表すことができる。
【００５９】
残容量を示すリングが消去可能な場合においては、追記により光ディスク媒体の残容量が殆ど無くなった場合など追記を行わない光ディスク媒体に対しては、ユーザの指示を受けてあるいは自動的に残容量情報を消去すればよい。その際に、記録済みコンテンツデータに関する情報、例えばタイトルなどをデータ記録面より読み取り光ディスク媒体のレーベル面に印字すれば、図８Ａに示すように光ディスク媒体に録画されているコンテンツが一目で分かり便利である。図８Ａは、残容量情報が消去されたレーベル面に記録された視覚情報３６を示している。また、残容量情報を消去できない光ディスク媒体を用いる場合は、図８Ｂに示すように、リングはそのままにしておきタイトルを印字すればよい。
【００６０】
本実施形態では、リングの濃淡を変えることで残容量を視覚的に示したが、リングの書き換えが可能な場合だと、リングの色を変えることで残容量情報を更新してもよい。
【００６１】
またここでは残容量情報であるリング状の図形をレーベル面に書き込む場合について説明したが、レーベル面ではなくデータ記録面に予め設けておいたデータ未記録領域を利用してリング状の図形やタイトルを書き込んでもよい。
【００６２】
（実施形態３）
図９Ａおよび図９Ｂは、本実施形態における光ディスク媒体１５のレーベル面に書き込まれた残容量情報４６を示す図である。残容量情報４６の記録は記録装置１００（図１Ａ）によって行われる。
【００６３】
本実施形態では、コンテンツデータの記録を繰り返して残容量が減っていくにつれて、光ディスク媒体表面に描かれた棒グラフが変化する。
【００６４】
図３を参照して、この残容量情報４６の書き込み処理手順を説明する。まず、未記録の光ディスク媒体１５を記録装置１００に挿入する（ステップＳ１００）。記録装置１００は、最初のコンテンツデータの記録を実行する（ステップＳ１０１）。録画完了後、制御部１８は、光ディスク媒体１５の残容量を検出する（ステップＳ１０２）。検出した残容量Ｘが例えば３．５ＧＢの場合には、第２記録部２およびヘッド部３は、２個の四角を書き込むための記録信号２ａの生成および書き込みを実行する（ステップＳ１０３）。また、必要に応じて、第２記録部２およびヘッド部３は、残容量目盛りを書き込むための記録信号２ａの生成および書き込みを実行する（ステップＳ１０４）。これらの動作により、図９Ａに示すような棒グラフの形状で残容量が光ディスク媒体１５表面に視覚的に示される。これにより、ユーザは、棒グラフを目視するだけで残容量が瞬時に分かる。また、記録したコンテンツデータに関する情報、例えばタイトルなどを合わせて印字すれば、追記途中の光ディスク媒体であっても録画されているコンテンツが一目で分かり便利である。
【００６５】
次に、別のコンテンツデータを追記するために、この光ディスク媒体を記録装置１００に挿入する。光ディスク媒体１５が記録済み光ディスク媒体である場合には、制御部１８は、光ディスク媒体の残容量を検出する（ステップＳ１００およびＳ１０５）。制御部１８は、検出した残容量Ｙが例えば３．５ＧＢの場合には２個の四角が既に書き込まれていると判断する。続いて、記録装置１００は、別のコンテンツデータの追記を実行する（ステップＳ１０６）。録画完了後、制御部１８は、光ディスク媒体１５の残容量を検出する（ステップＳ１０７）。検出した残容量Ｚが例えば０．５ＧＢの場合には、２個の四角は既に書かれているので、第２記録部２およびヘッド部３は、３個目から１０個目までの８個の四角を書き込むための記録信号２ｂの生成および書き込みを実行する（ステップＳ１０８）。これらの動作により、図９Ｂに示すような形状で残容量が光ディスク媒体表面に視覚的に示される。これにより、ユーザは、１０個の四角が書き込まれていることを目視するだけで残容量が少ないことが瞬時に分かる。
【００６６】
残容量情報４６の形状が実施形態１および２で説明したリング形状と異なり棒グラフ形状であるため、残容量が分かり易いが、追記時に光ディスク媒体１５の円周方向（回転方向）の位置合わせをした上で、棒グラフを追加書き込みする必要がある。以下、位置合わせの手順を説明する。
【００６７】
位置合わせの手順の第１の例として、図１０Ａに示すように、レーベル面に光ディスク媒体１５の半径方向に沿って伸びる基準線５１がマークとして予め形成されている。基準線５１の位置は、ヘッド部２１がレーザ光をレーベル面に照射し、反射光を受けることにより検出することができる。基準線５１の位置と、光ディスク媒体１５の回転速度と、光ディスク媒体１５の半径方向に沿ったヘッド部２１の位置とから、レーベル面上の光スポットの位置を特定することができる。
【００６８】
レーベル面に予め書き込まれたマーカを検出して回転方向の位置合わせをする技術は、特開２０００−４０２６４号公報に開示されている。この技術を用いれば、最初に残容量と残容量目盛りとを書き込む際に、併せてマーカを所定の位置に書き込んでおき、追記時にはこのマーカによって位置合わせをした上で残容量を更新すればよい。
【００６９】
光ディスク媒体１５の回転方向の位置合わせ手順の第２の例を説明する。光ディスク媒体１５のデータ記録面には回転方向に沿ってトラックが形成されている。このトラックは固定データ長のセクターが集まったものである。このセクター群にはトラック内で唯一のＩＤ（アドレス情報）がそれぞれに割り振られている。セクターＩＤの詳細は「Ｏ  ｐｌｕｓ  Ｅ」１９９６年６月号（Ｎｏ．１９９）、新技術コミュニケーションズ発行、９３〜９７ページを参照のこと。未記録の光ディスク媒体１５に初めてコンテンツデータを記録した時に特定のセクター（特定ＩＤを有する基準セクター）を回転方向の基準として定めておけば、基準セクターを検出して、回転方向の位置決めをして視覚情報を書き込むことで、正しく位置合わせをして書き込みをすることができる。また、視覚情報の追記時においても、先に書き込み済の視覚情報と新たに書き込む視覚情報（更新情報）とを正しく位置合わせをして、更新情報を追加して書き込みすることができる。
【００７０】
図１Ａを参照して、コンテンツデータの記録終了後、光ディスク媒体１５より記録データを再生する。光ヘッド部１４を介して再生される再生信号は再生部１６に入力され、復調や誤り訂正が行われ、再生データ信号１６１が生成される。再生データ信号１６１は、再生ＡＶ処理部および基準位置検出部１７に入力される。基準位置検出部１７は、基準セクターのアドレス情報（例えば、ＩＤ＝０）を検出する。
【００７１】
制御部１８は、特定のアドレス情報を示す基準セクターの検出位相を回転方向の基準（０度）と定める。ビットマップ画像生成部１９は、基準セクターの位置を基準として、視覚情報（残容量情報や、記録したコンテンツデータのタイトル）１９１を生成する。描画部２０は、視覚情報を光ディスク媒体１５へ記録するための記録信号２ａに変換する。描画ヘッド部２１は、記録信号２ａを受け取って、光ディスク媒体１５のレーベル面に視覚情報を記録する。これにより、図９Ａに示すように、残容量情報４６およびタイトル３６がレーベル面に描画される。
【００７２】
続いて、記録済の光ディスク媒体１５に別のコンテンツデータを追記して、視覚情報を追加記録する手順を説明する。コンテンツデータの追記が終了すると、光ディスク媒体１５より記録データを再生する。光ヘッド部１４を介して再生される再生信号は再生部１６に入力され、復調や誤り訂正が行われ、再生データ信号１６１が生成される。再生データ信号１６１は、基準位置検出部１７に入力される。基準位置検出部１７は、基準セクターのアドレス情報（例えば、ＩＤ＝０）を検出する。
【００７３】
制御部１８は、特定のアドレス情報を示す基準セクターの検出位相を回転方向の基準（０度）と定める。ビットマップ画像生成部１９は、基準セクターの位置を基準として、追加の視覚情報（残容量情報や、記録したコンテンツデータのタイトル）を含む更新情報を生成する。描画部２０は、更新情報を光ディスク媒体１５へ記録するための記録信号２ｂに変換する。描画ヘッド部２１は、記録信号２ｂを受け取って、光ディスク媒体１５のレーベル面に更新情報を記録する。描画ヘッド部２１は、基準セクターの位置を基準として生成された記録信号２ｂを用いて、レーベル面に既に書き込み済の図形や文字と位置合わせをして更新情報を追加記録する。これにより、図９Ｂに示すように、更新された残容量情報およびタイトルがレーベル面に描画される。
【００７４】
追記により光ディスク媒体の残容量が殆ど無くなった場合など、追記を行わない光ディスク媒体に対しては、ユーザの指示を受けてあるいは自動的に残容量情報を削除する。残容量を示す棒グラフおよび目盛りを消去可能な場合はそれらを消去すればよい。消去したときのレーベル面を図１２Ａに示す。図１２Ａに示す例では、視覚情報としてコンテンツデータの記録日８１も記録されている。また、残容量を示す棒グラフおよび目盛りを消去不可能な場合には、図１２Ｂに示すように塗りつぶすように図形を上書きすることで残容量情報を削除すればよい。
【００７５】
なお、視覚情報として書き込むタイトルの行数を、１つのコンテンツにつき一行に制限した場合は、記録済みのコンテンツ数からタイトルの書き込み位置が定めることができる。１つのコンテンツのタイトルが複数行に渡ることを許容するためには、視覚情報が記録された位置を示す位置情報をデータ記録面に記録しておき、追記時には位置情報を読み取り、位置情報が示す位置に続く領域に追加のタイトルを書込めばよい。例えば、レーベル面を複数の行で分割して、書き込み済みの行および／または未記録の行を示す位置情報を生成すればよい。
【００７６】
図１１Ａは、位置情報を生成して記録する記録装置１００を示している。図１１Ａに示す記録装置１００の制御部は、描画済領域管理部２２を備える。
【００７７】
コンテンツデータの記録が終了し、視覚情報（光ディスク媒体１５の残容量とタイトル）の書き込みが完了すると、描画済領域管理部２２は、描画済領域を示す位置情報２２１を生成する。描画済領域を示す位置情報２２１とは、例えばタイトル書き込み済の行数が２行で、残容量の書き込み済の四角が５個といった情報である。
【００７８】
記録信号生成部１３は、位置情報２２１を光ディスク媒体１５に記録するための記録信号１ｂを生成する。光ヘッド部１４は、記録信号１ｂを受けて、位置情報２２１を光ディスク媒体１５のデータ記録面に記録する。
【００７９】
追記時には、再生部１６を経て、光ディスク媒体１５から位置情報２２１を描画済領域管理部２２にて読み取る。この読み取った描画済領域を示す情報を基に、記録済みの視覚情報との位置が合うように、追加の視覚情報（図形および文字等）の記録位置を定める。第２記録部２は、定められた記録位置に追加の視覚情報が記録されるように記録信号を生成し、ヘッド部３は追加の視覚情報（更新情報）を、記録済みの視覚情報との位置合わせをして記録する。
【００８０】
図１１Ｂは、複数の行６１〜７０で分割したレーベル面を示している。１つ目の行６１には既にタイトル３６が記録済みであるので、描画済領域管理部２２は、１つ目の行６１は描画済であることを示す位置情報２２１を生成する。この位置情報２２１を読み出したときには、描画済領域管理部２２は、２つ目の行６２以降の位置に追加の視覚情報を記録すればよいことを判定することができる。
【００８１】
また、残容量情報の消去時にも読み取った位置情報２２１に基づいて消去位置を定め消去すればよい。
【００８２】
またここでは残容量情報である棒グラフ状の図形をレーベル面に書き込む場合について説明したが、レーベル面ではなくデータ記録面に予め設けておいたデータ未記録領域を利用して棒グラフ状の図形やタイトルを書き込んでもよい。
【００８３】
（実施形態４）
図１３Ａおよび図１３Ｂは、本実施形態における光ディスク媒体１５のレーベル面に書き込まれた残容量情報８２を示す図である。残容量情報８２の記録は記録装置１００によって行われる。残容量情報８２は、文字によって表されている。
【００８４】
コンテンツデータ録画を繰り返して残容量が減っていく。本実施形態では、その残容量を各録画モードでの録画可能時間で示す。一例として、最初のコンテンツデータ録画時に書き込まれた後のレーベル面を図１３Ａに示し、追記時に書き込まれた後のレーベル面を図１３Ｂに示す。また、残容量情報を消去により削除した後のレーベル面を図１４Ａに示し、上書きにより削除した後のレーベル面を図１４Ｂに示す。上述した実施形態との違いは書き込む残容量の表示形態だけなので、この残容量情報の書き込み処理についての説明は省略する。
【００８５】
ここではレーベル面への書き込みが消去できない場合を想定して、図１３に示すように矢印により記録可能時間を更新しているが、消去可能な場合は消去した後に新たに時間を書き込むことで更新すればさらに分かり易い。
【００８６】
またここでは残容量情報である録画可能時間を文字でレーベル面に書き込む場合について説明したが、レーベル面ではなくデータ記録面に予め設けておいたデータ未記録領域を利用して録画可能時間やタイトルを書き込んでもよい。
【００８７】
以上説明したように、本発明の記録装置は、情報記録媒体へ記録するデータの内容を視覚的に示す視覚情報を前記情報記録媒体へ記録するための第１記録信号を生成する記録部と、前記情報記録媒体に記録されている所定のアドレス情報を、前記視覚情報を記録する位置の位置合わせの基準にして、前記第１記録信号に基づいて前記視覚情報を前記情報記録媒体へユーザが直接視認可能に記録するヘッド部とを備えることを特徴とする。
【００８８】
ある実施形態によれば、前記記録部は、前記視覚情報が記録された前記情報記録媒体上の位置を示す位置情報を前記情報記録媒体へ記録するための第２記録信号を生成し、前記ヘッド部は、前記第２記録信号に基づいて前記位置情報を前記情報記録媒体へ記録する。
【００８９】
ある実施形態によれば、前記データは、映像データ、音声データ、テキストデータ、プログラムデータのうちの少なくとも１つを含む。
【００９０】
ある実施形態によれば、前記視覚情報は、前記データのタイトル、ファイル名、記録した日のうちの少なくとも１つを示す。
【００９１】
本発明の記録方法は、情報記録媒体へ記録するデータの内容を視覚的に示す視覚情報を前記情報記録媒体へ記録するための記録信号を生成するステップと、前記情報記録媒体に記録されている所定のアドレス情報を、前記視覚情報を記録する位置の位置合わせの基準にして、前記記録信号に基づいて前記視覚情報を前記情報記録媒体へユーザが直接視認可能に記録するステップとを包含することを特徴とする。
【００９２】
本発明の記録装置は、情報記録媒体へ記録するデータの内容を視覚的に示す視覚情報を前記情報記録媒体へ記録するための第１記録信号を生成する記録部と、前記第１記録信号に基づいて前記視覚情報を前記情報記録媒体へユーザが直接視認可能に記録するヘッド部とを備え、前記記録部は、前記視覚情報が記録された前記情報記録媒体上の位置を示す位置情報を前記情報記録媒体へ記録するための第２記録信号を生成し、前記ヘッド部は、前記第２記録信号に基づいて前記位置情報を前記情報記録媒体へ記録することを特徴とする。
【００９３】
ある実施形態によれば、前記ヘッド部は、追加の視覚情報を記録する場合、前記位置情報に基づいて、記録済みの前記視覚情報と前記追加の視覚情報との位置合わせを行う。
【００９４】
ある実施形態によれば、前記ヘッド部は、前記情報記録媒体に記録されている所定のアドレス情報の記録位置を、前記視覚情報を記録する位置の位置合わせの基準にして、前記視覚情報を記録する。
【００９５】
ある実施形態によれば、前記データは、映像データ、音声データ、テキストデータ、プログラムデータのうちの少なくとも１つを含む。
【００９６】
ある実施形態によれば、前記視覚情報は、前記データのファイル名、タイトル、記録した日のうちの少なくとも１つを示す。
【００９７】
本発明の記録方法は、情報記録媒体へ記録するデータの内容を視覚的に示す視覚情報を前記情報記録媒体へ記録するための第１記録信号を生成するステップと、前記第１記録信号に基づいて前記視覚情報を前記情報記録媒体へユーザが直接視認可能に記録するステップと、前記視覚情報が記録された前記情報記録媒体上の位置を示す位置情報を前記情報記録媒体へ記録するための第２記録信号を生成するステップと、前記第２記録信号に基づいて前記位置情報を前記情報記録媒体へ記録するステップとを包含することを特徴とする。
【００９８】
本発明の記録装置は、前記情報記録媒体の残容量を視覚的に示す残容量情報を前記情報記録媒体へ記録するための第１記録信号を生成する記録部と、前記第１記録信号に基づいて前記残容量情報を前記情報記録媒体へユーザが直接視認可能に記録するヘッド部とを備えることを特徴とする。
【００９９】
ある実施形態によれば、前記情報記録媒体には１つ以上のデータと前記残容量情報とが記録済みであり、前記情報記録媒体に新たなデータを追加して記録した場合には、前記記録部は、前記新たなデータの記録により変化した残容量を示す更新情報を前記情報記録媒体へ記録するための第２記録信号を生成し、前記ヘッド部は、前記第２記録信号に基づいて前記更新情報を前記情報記録媒体へ記録し、前記情報記録媒体に記録された前記残容量情報を更新する。
【０１００】
ある実施形態によれば、前記残容量情報は、図形および文字の少なくとも一方によって表されている。
【０１０１】
ある実施形態によれば、前記残容量情報は、図形および文字の少なくとも一方によって表されており、前記更新情報は、前記残容量情報を表す前記図形および前記文字の少なくとも一方に追加される追加図形および追加文字の少なくとも一方によって表されている。
【０１０２】
ある実施形態によれば、前記残容量情報は、円形状によって表されており、前記更新情報は、前記円形状に対する前記情報記録媒体の内周側および外周側の一方へ追加される前記円形状の同心円によって表されている。
【０１０３】
ある実施形態によれば、前記情報記録媒体には、前記情報記録媒体の円周方向の位置の基準となるマークが設けられており、前記ヘッド部は、前記マークの位置に基づいて、前記残容量情報と前記更新情報との位置が合うように、前記更新情報を前記情報記録媒体へ記録する。
【０１０４】
ある実施形態によれば、前記ヘッド部は、前記情報記録媒体に記録されている所定のアドレス情報の記録位置に基づいて、前記残容量情報と前記更新情報との位置が合うように、前記更新情報を前記情報記録媒体へ記録する。
【０１０５】
ある実施形態によれば、前記記録部は、前記残容量情報が記録された前記情報記録媒体上の位置を示す位置情報を前記情報記録媒体へ記録するための第３記録信号を生成し、前記ヘッド部は、前記第３記録信号に基づいて前記位置情報を前記情報記録媒体へ記録する。
【０１０６】
ある実施形態によれば、前記ヘッド部は、前記位置情報に基づいて、前記残容量情報と前記更新情報との位置が合うように、前記更新情報を前記情報記録媒体へ記録する。
【０１０７】
ある実施形態によれば、前記記録部は、記録された前記残容量情報を消去する場合には、前記残容量情報を消去するための消去用信号を生成し、前記ヘッド部は、前記消去用信号に基づいて前記残容量情報を消去する。
【０１０８】
ある実施形態によれば、前記データは、映像データ、音声データ、テキストデータ、プログラムデータのうちの少なくとも１つを含む。
【０１０９】
本発明の記録方法は、前記情報記録媒体の残容量を視覚的に示す残容量情報を前記情報記録媒体へ記録するための記録信号を生成するステップと、前記記録信号に基づいて前記残容量情報を前記情報記録媒体へユーザが直接視認可能に記録するステップとを包含することを特徴とする。
【０１１０】
以上のように、本発明の好ましい実施形態を用いて本発明を例示してきたが、本発明は、これらの実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した文献（ウェブサイトを含む）は、その内容自体が具体的に本明細書に記載されているのと同様にその内容が本明細書に対する参考として援用されるべきであることが理解される。
【産業上の利用可能性】
【０１１１】
本発明の記録装置および記録方法は、ユーザが直接視認可能な視覚情報を情報媒体に記録する技術分野において特に好適に用いられる。
【図面の簡単な説明】
【０１１２】
【図１Ａ】本発明の実施形態１による記録装置を示す図
【図１Ｂ】本発明の実施形態１による残容量情報を示す図
【図１Ｃ】本発明の実施形態１による残容量情報を示す図
【図２】本発明の実施形態１による残容量とリング数との関係を示す図
【図３】本発明の実施形態１による残容量情報の書き込み手順を示すフローチャート
【図４Ａ】本発明の実施形態１による残容量情報を削除した後の光ディスク媒体を示す図
【図４Ｂ】本発明の実施形態１による残容量情報を削除した後の光ディスク媒体を示す図
【図５Ａ】本発明の実施形態２による残容量情報を示す図
【図５Ｂ】本発明の実施形態２による残容量情報を示す図
【図６】本発明の実施形態２による残容量とリングの濃淡との関係を示す図
【図７】本発明の実施形態２による残容量情報の書き込み手順を示すフローチャート
【図８Ａ】本発明の実施形態２による残容量情報を削除した後の光ディスク媒体を示す図
【図８Ｂ】本発明の実施形態２による残容量情報を削除した後の光ディスク媒体を示す図
【図９Ａ】本発明の実施形態３による残容量情報を示す図
【図９Ｂ】本発明の実施形態３による残容量情報を示す図
【図１０Ａ】本発明の実施形態３による位置決めの基準となる基準マークを示す図
【図１０Ｂ】本発明の実施形態３による位置決めの基準となる基準セクターを示す図
【図１１Ａ】本発明の実施形態３による記録装置を示す図
【図１１Ｂ】本発明の実施形態３による複数の行で分割したレーベル面を示す図
【図１２Ａ】本発明の実施形態３による残容量情報を削除した後の光ディスク媒体を示す図
【図１２Ｂ】本発明の実施形態３による残容量情報を削除した後の光ディスク媒体を示す図
【図１３Ａ】本発明の実施形態４による残容量情報を示す図
【図１３Ｂ】本発明の実施形態４による残容量情報を示す図
【図１４Ａ】本発明の実施形態４による残容量情報を削除した後の光ディスク媒体を示す図
【図１４Ｂ】本発明の実施形態４による残容量情報を削除した後の光ディスク媒体を示す図
【符号の説明】
【０１１３】
１    第１の記録部
２    第２の記録部
３    ヘッド部
４    再生ＡＶ処理部
１２    記録ＡＶ処理部
１３    記録信号生成部
１４    光ヘッド部
１５    光ディスク媒体
１６    再生部
１７    基準位置検出部
１８    制御部
１９    ビットマップ画像生成部
２０    描画部
２１    描画ヘッド部
２２    描画済領域管理部
【図１Ａ】
0004787825.tif 000002
【図１Ｂ】
0004787825.tif 000003
【図１Ｃ】
0004787825.tif 000004
【図２】
0004787825.tif 000005
【図３】
0004787825.tif 000006
【図４Ａ】
0004787825.tif 000007
【図４Ｂ】
0004787825.tif 000008
【図５Ａ】
0004787825.tif 000009
【図５Ｂ】
0004787825.tif 000010
【図６】
0004787825.tif 000011
【図７】
0004787825.tif 000012
【図８Ａ】
0004787825.tif 000013
【図８Ｂ】
0004787825.tif 000014
【図９Ａ】
0004787825.tif 000015
【図９Ｂ】
0004787825.tif 000016
【図１０Ａ】
0004787825.tif 000017
【図１０Ｂ】
0004787825.tif 000018
【図１１Ａ】
0004787825.tif 000019
【図１１Ｂ】
0004787825.tif 000020
【図１２Ａ】
0004787825.tif 000021
【図１２Ｂ】
0004787825.tif 000022
【図１３Ａ】
0004787825.tif 000023
【図１３Ｂ】
0004787825.tif 000024
【図１４Ａ】
0004787825.tif 000025
【図１４Ｂ】
0004787825.tif 000026